(57)【特許請求の範囲】
【請求項１】
米から糠を分離する多数の分離孔を有した分離かご内に配置され回転して用いられる精米用かき回し具において、
前記分離かご内に配置されて上下方向に延びるかき回し具本体に、前記分離かご内に投入される米の量の目安となる複数の段部を上下方向に並べて階段状に設けた精米用かき回し具。
【請求項２】
請求項１に記載の精米用かき回し具において、前記各段部の上面の高さを、精米により米から除去された糠の分を精米された白米の量に加算した量に相当する米の量を前記分離かご内に投入した際の米層上面の高さと、略同じとした。
【請求項３】
請求項１又は２に記載の精米用かき回し具において、前記かき回し具本体の上面に前記段部と同数の精米量表示を設けるとともに、前記かき回し具本体に前記各段部に個別に対応する複数のリブを設けた。
【請求項４】
駆動軸及びこの駆動軸を回転させる駆動モータを有する精米機本体と、上端が開口された有底筒状をなして前記精米機本体上に設けられ、底壁に、この底壁を貫通して軸支され前記駆動軸に接続される回転軸を有した容器と、この容器に収容されるとともに、米から糠を分離する多数の分離孔を有して上端が開口された有底筒状の分離かごと、この分離かご内で前記回転軸に取付けられて回転される請求項１から３のうちのいずれか１項に記載のかき回し具と、前記容器の開口を着脱可能に閉じる蓋とを備える精米機。
【請求項５】
上端が開口された有底筒状でかつ多数の分離孔を有し、内部に配置される精米用かき回し具の回転により米から分離される糠を前記分離孔を通して外部に排出する精米用分離かごにおいて、
前記分離かごのかご周壁に、前記分離かご内に投入される米の量の目安となる複数の段部を上下方向に並べて階段状に設けるとともに、前記各段部の上面に夫々精米量表示を設  けた精米用分離かご。
【請求項６】
上端が開口された有底筒状でかつ多数の分離孔を有し、内部に配置される精米用かき回し具の回転により米から分離される糠を前記分離孔を通して外部に排出する精米用分離かごにおいて、
前記分離かごのかご周壁に、前記分離かご内に投入される米の量の目安となる複数の段部を上下方向に並べて階段状に設けるとともに、前記各段部の上面の高さを、精米により米から除去される糠の分を精米された白米の量に加算した量に相当する米の量を収容した際の米層上面の高さと、略同じとした精米用分離かご。
【請求項７】
正逆回転される駆動軸及びこの駆動軸を回転させる駆動モータを有する精米機本体と、上端が開口された有底筒状をなして前記精米機本体上に設けられ、底壁に、この底壁を貫通して軸支され前記駆動軸に接続される回転軸を有した容器と、この容器に収容される請求項５又は６に記載の分離かごと、この分離かご内で前記回転軸に取付けられて回転されるかき回し具と、前記容器の開口を着脱可能に閉じる蓋とを備える精米機。
【発明の詳細な説明】
【０００１】
【発明の属する技術分野】
本発明は、米、麦、蕎麦等の穀粒の糠（胚芽や糠層及びでん粉層のうち穀粒から剥離したもの、又は種皮等の混ざった微紛物等。）を取り去って、精米をする精米機、この精米機が備えるかき回し具、及び分離かごに関する。
【０００２】
【従来の技術】
有底筒状の容器内に、多数の分離孔を有して米が投入される有底筒状の分離かごを収容し、分離かご内に配置されたかき回し具を駆動モータの動力で回転させることによって、精米をする精米機が提供されている。
【０００３】
この精米機で精米を開始するにあたり、分離かご内には所望量の米が投入される。この投入のために、従来の精米機にはそれ専用の計量カップが付属品として備えられている。計量カップは、通常、摺り切り一杯の状態で１合の玄米を収容できる大きさに合成樹脂等で形成されていて、精米量に応じて１回以上使用される。つまり、従来では、計量カップを目安として分離かご内への米の投入量が決定されている。
【０００４】
しかし、専用の計量カップが付属品とされた精米機は、計量カップのためのコストが掛かるので、精米機全体のコストも高くならざるを得ない。しかも、計量カップの置き場所に苦慮することがあるだけではなく、万が一、紛失や破損などにより計量カップが使用できない場合には、分離かご内に所望とする量の米を正確に投入することが困難になるので、その改善が望まれている。
【０００５】
【発明が解決しようとする課題】
本発明が解決しようとする課題は、計量部品専用の置き場所を要しないとともに、所望とする量の米を分離かご内に容易に投入できる低コストな精米用かき回し具、精米用分離かご、及び精米機を得ることにある。
【０００６】
【課題を解決するための手段】
本発明の精米用かき回し具は、米から糠を分離する多数の分離孔を有した分離かご内に配置されるかき回し具本体に、分離かご内に投入される米の量の目安となる複数の段部を上下方向に並べて階段状に設けた構成とする。
【０００７】
本発明の精米用分離かごは、そのかご周壁に、分離かご内に投入される米の量の目安となる複数の段部を上下方向に並べて階段状に設けるとともに、前記各段部の上面に夫々精米量表示を設けた構成とする。
【０００８】
【発明の実施の形態】
以下、本発明の第１実施形態に係る精米機とこれに用いられるかき回し具について図１から図５を参照して説明する。精米機１は、精米機本体２、これに着脱される精米アタッチメント２０とから形成される。
【０００９】
図１に示すように精米機本体２は台状をなす容器載置部３を有している。精米機本体２の外郭をなす合成樹脂製の精米機本体ケース４には駆動機構５が内蔵されている。駆動機構５は、駆動モータ６と、容器載置部３の中央部に突出されて軸受７で垂直に支持された駆動軸８と、この駆動軸８に駆動モータ６の回転動力を減速して伝える伝動機構９とを備えている。伝動機構９には例えば巻掛け伝動機構が用いられている。駆動軸８の上端部には、駆動側カップリング１０が取付けられている。
【００１０】
精米機本体ケース４の駆動モータ６を覆った部分の表面には、図５に示す操作パネル１１が設けられている。このパネル１１には、スタートスイッチ１２と、ストップスイッチ１３と、精米量スイッチ１４と、精米モードスイッチ１５とが取付けられている。
【００１１】
精米量スイッチ１４は、精米する米の量を指定するものであって、押圧の繰り返しにより精米量を順次切換えて指定でき、図５では精米量が「４合」に指定されそれに対応する表示ランプ１４ｄが点灯された場合を例示している。なお、符号１４ａから１４ｃ、及び１４ｅは他の表示ランプを示している。精米モードスイッチ１５は、その押圧の繰り返しにより玄米の精米加減「３分」、「５分」、「７分」、及び「白米」を指定でき、図５では「白米」が指定されそれに対応する表示ランプ１５ｄが点灯された場合を例示している。「白米」の精米モードは標準であって、これは電源投入に伴って指定される。なお、符号１５ａから１５ｃは他の表示ランプを示している。
【００１２】
図１に示すように精米アタッチメント２０は、容器２１と、分離かご３１と、かき回し具４１と、蓋６５とを備えている。
【００１３】
容器２１は上面が開口された有底円筒状をなし、その下面に下端が開放された短い円筒状の容器台２２が突設されている。この容器台２２を容器載置部３の凹部３ａに着脱可能に嵌合して、容器２１が容器載置部３上に取付けられている。容器２１は、その外周面に把手２３を有しているとともに、この把手２３から１８０°離れた開口縁に径方向外側に突出する注ぎ口２４を有している。
【００１４】
容器２１の底壁２１ｂの中央部には、これを貫通して軸受ホルダ２５が取付けられ、このホルダ２５の下端部に容器台２２が連結されている。軸受ホルダ２５に内蔵された軸受２６には、その中央部を上下方向に貫通する回転軸２７が垂直に支持されている。容器２１の中央部に配置された回転軸２７の下端部には、容器載置部３への容器２１の着脱に伴ってカップリング１０に着脱自在に噛み合い係合する被動側カップリング２８が取付けられている。
【００１５】
分離かご３１は容器２１に出し入れ自在である。このかご３１は、上面が開口された不透明な金属製のかご本体３２と、合成樹脂製の中心筒体３３とを備えている。中心筒体３３は分離かご３１のかご底壁３２ｂの中央部を貫通してかご底壁３２ｂにリベット止めされている。中心筒体３３の上下両端はいずれも開放されている。かご本体３２は、円筒形状のかご周壁３２ａの下端にかご底壁３２ｂを一体に設け、かつ、かご周壁３２ａの上端開口縁にその周方向に連続しかつ外側に向けて水平状に張り出す環状の張出しフランジ３２ｃを設けて形成されている。
【００１６】
このかご本体３２の張出しフランジ３２ｃを除いたかご主部は、容器２１よりも小径で、容器２１の深さよりも短い有底円筒形状をなしている。張出しフランジ３２ｃは、容器２１の上端開口縁２１ｃに上側から引っ掛る大きさに形成されている。この張出しフランジ３２ｃは注ぎ口２４に被さる凸部を有している。
【００１７】
分離かご３１のかご周壁３２ａにはその略全域にわたり多数の分離孔（図示しない）が開けられているとともに、分離かご３１のかご底壁３２ｂにもその略全域にわたり多数の分離孔（図示しない）が開けられている。分離孔は少なくともかご周壁３２ａ又はかご底壁３２ｂに設ければよい。これら分離孔はいずれも分離かご３１内に収容されて精米された米の通過を妨げる大きさの小穴からなる。
【００１８】
図１に示されるように回転軸２７の上部２７ａには、これに上方から着脱可能に嵌合されて回転軸２７とともに図２（Ａ）中矢印方向に回転されるかき回し具４１が取付けられている。かき回し具４１は、合成樹脂からなるかき回し具本体４２と、この本体４２に内蔵された合成樹脂製又は軽金属製の軸係合部材４３と、１以上例えば一対のかき回し部４４とを備えている。なお、本発明においてかき回し部４４は省略することもでき、この場合、かき回し具本体４２を先細状とするとともに、その外周面を粗面とし、この面と分離かご３１に投入された米との摩擦により米を動かしてかき回すことができる。
【００１９】
かき回し具本体４２の上端を閉じた上端壁４２ｂの中央部内面には中央筒部４２ａが一体に突設され、その下端部に軸係合部材４３が連結されている。軸係合部材４３は、回転軸２７の上部２７ａに軸方向から挿脱自在に被嵌されるとともに、この嵌合状態で上部２７ａの周方向に引っ掛る係合部（図示しない）を有している。したがって、かき回し具４１は分離かご３１の中央部に配置されて回転軸２７と一緒に回転される。
【００２０】
図２（Ａ）及び図３（Ａ）（Ｂ）に示すようにかき回し部４４は、金属例えばステンレスのブレードからなり、かき回し具本体４２の下端部外周から一体に突出成形された連結板部４５にリベット等の固定部品４６で取付けられている。このかき回し部４４は、図２（Ａ）に示すようにかき回し具４１が分離かご３１内に配置された状態で上方から見て、かき回し具本体４２の外周からかご周壁３２ａに次第に接近する円弧状に形成されている。
【００２１】
かき回し具本体４２は、上端が閉じられるとともに下端が開口された多段円筒状をなしている。詳しくは、図２及び図３に示すようにかき回し具本体４２には、その上面壁４２ｂとこの周縁から下側に連なる起立部分とがなす角部を最終段部４９として含む複数例えば４つの段部４６から４９が上下方向に並べて階段状に設けられている。最終段部４９より下側の各段部４６から４８の上面の幅は、これらの上面に米粒が乗ることができない程度に狭く、或いは、前記幅の広さに拘わらず出幅方向先端に行くほど下がるように傾斜させて、その上に米粒及び糠が滞留しないように形成するとよい。
【００２２】
段部４６から４９が形成する階段状部分は、かき回し具本体４２の外周面の一部に上下方向に直線的に延びていてもよいが、本実施形態の場合には最終段部４９より下側の各段部４６から４８は夫々かき回し具本体４２の周方向に連続して環状に形成してある。そのため、かき回し具本体４２はその下端から上面に行くにしたがって段階的に径が細くなる段付き円筒をなしている。段部４６から４８を環状とすることは、かき回し具本体４２の周りに沿う米の移動を妨げない点で好ましい。
【００２３】
各段部４６から４９は分離かご３１内に米を投入する量（精米量）の目安として用いられるものであって、その上面の高さは、精米により米から除去された糠の分を精米された白米の量に加算した量に相当する米の量を分離かご３１内に投入した際の米層上面の高さと略同じ高さ位置に夫々設けられている。
【００２４】
詳しくは、図２（Ｂ）中符号Ｌ１は、分離かご３１内にかき回し具４１がセットされた状態で、１合分の白米を得るのに必要な量の米を投入した場合の米層上面の高さ位置を示しており、この米層上面高さ位置Ｌ１に相当する高さ位置に段部４６の上面が位置されている。図２（Ｂ）中符号Ｌ２は、分離かご３１内にかき回し具４１がセットされた状態で、２合分の白米を得るのに必要な量の米を投入した場合の米層上面の高さ位置を示しており、この米層上面高さ位置Ｌ２に相当する高さ位置に段部４７の上面が位置されている。図２（Ｂ）中符号Ｌ３は、分離かご３１内にかき回し具４１がセットされた状態で、３合分の白米を得るのに必要な量の米を投入した場合の米層上面の高さ位置を示しており、この米層上面高さ位置Ｌ３に相当する高さ位置に段部４８の上面が位置されている。図２（Ｂ）中符号Ｌ４は、分離かご３１内にかき回し具４１がセットされた状態で、４合分の白米を得るのに必要な量の米を投入した場合の米層上面の高さ位置を示しており、この米層上面高さ位置Ｌ４に相当する高さ位置に段部４９の上面が位置されている。
【００２５】
図３（Ｂ）に示すように最も下位置の段部４６の起立面には、この段部４６の上面に寄せて精米量表示５０が設けられている。段部４６の上方に隣接して設けられた段部４７には、この段部４７の上面に寄せて精米量表示５１が設けられている。段部４７の上方に隣接して設けられた段部４８には、この段部４８の上面に寄せて精米量表示５２が設けられている。最も上位置の段部４９には、この段部４９の上面に寄せて精米量表示５３が設けられている。
【００２６】
各精米量表示５０から５３は、それが付された段部４６から４９の上面の高さ位置に対応して分離かご３１内に投入される玄米の量を表す文字表示である。つまり、精米量表示５０は「１合」分の米を投入する際の目安表示、精米量表示５１は「２合」分の米を投入する際の目安表示、精米量表示５２は「３合」分の米を投入する際の目安表示、精米量表示５３は「４合」分の米を投入する際の目安表示である。
【００２７】
こうした精米量表示５０から５３は省略してもよいが、それらの視認により、、精米された白米の量が指定された合数になるように玄米から除去される糠の分を加算した米の量（精米量）を、分離かご３１内に投入する時の目安として使用する段部を認識させ易い点で優れている。
【００２８】
図３（Ａ）（Ｂ）に示すようにかき回し具本体４２の外面には、各段部４６から４９に個別に対応するリブ５４から５７が一体に形成されているとともに、前記外面のうち特に上面壁４２ｂの上面には、各段部４６から４９に個別に対応する精米量表示５８から６１が夫々設けられている。精米量表示５８から６１はいずれも文字表示である。
【００２９】
リブ５４から５６は夫々かき回し具本体４２の段部上面から上面壁４２ｂの上面にわたって上下方向に延びて設けられ、リブ５７は上面壁４２ｂの上面のみに設けられている。リブ５４は段部４６とそれに対応する精米量表示５８とを結んでこの表示５８を指し示して設けられ、リブ５５は段部４７とそれに対応する精米量表示５９とを結んでこの表示５９を指し示して設けられている。リブ５６は段部４８とそれに対応する精米量表示６０とを結んでこの表示６０を指し示して設けられ、リブ５７は段部４９に対応する精米量表示６０を指し示して設けられている。図２（Ｂ）に示すようにかき回し具本体４２の少なくとも上面壁４２ｂの高さは、分離かご３１内に最大に米を入れた場合にも、その米層で実質的に覆われることがない位置にある。そのため、かき回し具本体４２の上面の精米量表示５８から６１は上方から視認可能である。
【００３０】
蓋６５は、透明な合成樹脂により略円形に形成されて、図１に示すように容器２１の上端開口を塞いで着脱可能に取付けられる。蓋６５の外周部には、互いに１８０°離れて注ぎ口引掛け部６６及び把手係合体６７が設けられている。この蓋６５は、注ぎ口引掛け部６６が前下がりとなる斜めの姿勢で、引掛け部６６を容器２１の注ぎ口２４の平坦な下面に引掛けてから、注ぎ口２４を支点として把手係合体６７側が下がるように押し下げて回動させることで、把手係合体６７の下部で把手２３の上部を弾性的に挟持させて、分離かご３１を覆って容器２１に取付けられる。この蓋６５の取付けによって、容器２１の上端開口縁２１ｃと蓋６５の周部内面との間に張出しフランジ３２ｃが挟まれる。蓋６５には、精米に伴って発生する米の熱を容器２１外に放出させる通気孔６８が多数開けられている。
【００３１】
次に、玄米を精米する場合を説明する。
【００３２】
まず、精米機本体２に載置された状態又は精米機本体２から外れた状態の精米アタッチメント２０の容器２１内に、分離かご３１を、このかご３１の張出しフランジ３２ｃが容器２１の上端開口縁２１ｃに上方から引っ掛るまで収容する。それにより、分離かご３１は容器２１内に吊持されるように収容されて、このかご３１の中心筒体３３内に回転軸２７の上部２７ａが挿入される。次に、分離かご３１内にその上端開口を通してかき回し具４１を収容して、その軸係合部材４３を中心筒体３３内で回転軸２７の上部２７ａに嵌合させて連結する。この後、所望量の玄米を分離かご３１内に投入してから、容器２１の上端開口に蓋６５を被着して、分離かご３１の張出しフランジ３２ｃを容器２１の上端開口縁２１ｃと蓋６５の周部との間に挟み込んで、分離かご３１が上下方向にも周方向にも動かないように保持する。
【００３３】
以上の手順で組立てられた精米アタッチメント２０を精米機本体２に取付ける。この取付け状態では、駆動側カップリング１０と被動側カップリング２８とが互いに噛み合わされて、精米機本体２側からかき回し具４１への動力伝達が可能な状態に接続される。以上のセット完了後に、分離かご３１内に投入された玄米の量に応じて精米量スイッチ１４を押圧操作するとともに、精米モードスイッチ１５を押圧操作してから、スタートスイッチ１２を押圧して、精米運転を開始する。それにより、以下のような乾式構造による糠の分離を伴う精米が実施される。
【００３４】
すなわち、精米機本体２内の駆動機構５が動作され、その駆動軸８の回転がカップリング１０、２８を介して回転軸２７に伝達されて、この軸２７とともにかき回し具４１が分離かご３１内で回転される。そのため、かき回し具４１の一対のかき回し部４４によって、分離かご３１内の米は、回転力を受けながらかご周壁３２ａに向けて押されて攪拌される。
【００３５】
こうして分離かご３１内の米は、静止状態の分離かご３１のかご周壁３２ａの内周面に押付けられることにより、この内周面に沿って移動されつつ、かご周壁３２ａの内周面の上部側に向けて移動した後、分離かご３１の径方向中央寄りに移動されつつ重力によって分離かご３１のかご底壁３２ｂ方向に移動されて、上下方向に対流しながらかき回される。
【００３６】
こうしたかき回しに伴う米同士の擦れ合い、及び米と分離かご３１及びかき回し具４１との擦れ合いにより、玄米から糠が取除かれ、分離かご３１内には糠が取り去られた米粒が残される。生成された糠は、かご周壁３２ａ及びかご底壁３２ｂの各分離孔を通過して容器２１内に排出される。
【００３７】
ところで、既述のように精米しようとする所望量の米を分離かご３１内に投入する場合、このかご３１内にセットされたかき回し具４１は、そのかき回し具本体４２に設けた各段部４６から４９、及びそれらに個別に対応する精米量表示５０から５３を、分離かご３１内に投入する米の量の目安とできる。
【００３８】
例えば、精米された１合の白米を精米して得たい場合には、分離かご３１内に投入された米がなす米層の上面が最も下位置の段部４６と略同じ高さとなるように、この段部４６を目安として玄米を投入すればよい。こうして精米して得ようとする１合の白米量に見合った量の玄米が投入された状態の平面図を図４（Ａ）に示す。なお、図４（Ａ）（Ｂ）中平行斜線は投入された米の層Ｘを示す。そして、この投入完了状態では、段部４６に連なって上面壁４２ｂに達したリブ５４の下端と米層とは連続するようになり、この状態は上方から見て図４（Ａ）のように視認できる。
【００３９】
同様に、例えば、３合の白米を精米して得たい場合には、分離かご３１内に投入された米がなす米層Ｘの上から２番目に高い位置の段部４８と略同じ高さとなるように、この段部４８を目安として玄米を投入すればよい。こうして精米して得ようとする３合の白米量に見合った量の玄米が投入された状態の平面図を図４（Ｂ）に示す。この投入完了状態では、段部４６、４７は米層Ｘ内に埋まり、段部４８に連なって上面壁４２ｂに達したリブ５６の下端と米層とは連続するようになり、この状態は上方から見て図４（Ｂ）のように視認できる。
【００４０】
これらの例示から分かるように分離かご３１内に投入して精米される米の量を計量する目安として、かき回し具４２を用いることができる。そのため、予め、計量カップで計量する必要がなく、適当な容器を用いて、或いは米袋から直接分離かご３１に米を投入できる。したがって、計量カップ（計量部品用）を不用とできるから、精米機１の低コストに役立つとともに、計量部品用の置き場所も要しない。
【００４１】
しかも、段部４６から４９及びそれらに個別に対応する精米量表示５０から５３を目安とすることによって、既述のように所望とする量の米を分離かご３１内に容易に収容できる。特に、段部４６から４９に個別に対応する精米量表示５８から６１及びリブ５４から５７は、分離かご３１に投入された米の層Ｘに拘わらずかき回し具本体４３の上方から視認できるので、米の投入量の目安としての信頼性が高い。
【００４２】
又、段部４６から４９は、精米動作によって仕上げられた白米が作る米層の上面に対応する高さ位置に設けられているものではなく、精米によって取除かれる糠の分を含んで実際に投入される玄米が作る米層の上面に対応して設けられている。そのため、段部４６から４９のいずれかを選択して、それを目安にして分離かご３１内に投入された所望量の米から、所望とする量の白米を精米して高い確度で仕上げることができる。
【００４３】
図６から図９は本発明の第２実施形態を示している。この実施形態は、基本的には第１実施形態と同様であるので、第１実施形態と同一構成については同一符号を付してその説明を省略し、以下、第１実施形態とは異なる構成について説明する。
【００４４】
この第２実施形態は、分離かご内に収容して精米される米の量を計量する目安として、かき回し具に代えて、分離かごを用いるように構成されている。そのために、かき回し具４１の各段部、各精米量表示、及び各リブは、いずれも省略されているとともに、分離かご３１は以下のように構成されている。
【００４５】
図６、図７（Ｂ）、及び図８（Ｂ）に示すように分離かご３１のかご周壁３２ａには、分離かご３１内に投入される米の量（精米量）の目安として用いられる複数の段部７１から７４が、上下方向に並べて階段状に設けられている。また、これら段部７１から７４の上面の高さ位置に対応して分離かご３１内に投入れる米の量を表す精米量表示が、段部７１から７４の夫々に対応して次のように設けられている。
【００４６】
精米量表示には、図８（Ｂ）に示すように各段部７１から７４の上面に連なる起立部分において前記上面に寄せて夫々設けられた精米量表示７５から７８と、図７（Ａ）、図８（Ａ）、及び図９に示すように各段部７１から７４の上面に夫々設けられた精米量表示７９から８２とが用いられている。精米量表示７５から７８は、「１合」、「２合」、「３合」、「４合」の文字表示であり、精米量表示７９から８２は点の数で投入される米の合数を表すイメージ表示である。精米量表示７９から８２は１箇所以上複数箇所例えば４箇所に設けられている。
【００４７】
各段部７１から７４の上面の高さは、精米により米から除去される糠の分を精米された白米の量に加算した量に相当する米の量を投入した際の米層上面の高さと、略同じ高さ位置Ｌ１〜Ｌ４に設けられている。
【００４８】
各段部７１から７４が形成する階段状部分は、分離かご３１のかご周壁３２ａの内周面の一部に上下方向に直線的に延びていてもよいが、本実施形態の場合には各段部７１から７４は夫々分離かご３１の周方向に連続して環状に形成してある。そのため、かご周壁３２ａは、分離かご３１の上端からかご底壁３２ｂに行くにしたがって段階的に径が細くなる段付き円筒をなしている。段部７１から７４を環状とすることは、分離かご３１の強度を高くし、かつ、かご周壁３２ａの内周面に沿う米の移動を妨げない点で好ましい。
【００４９】
前記のように分離かご３１の各段部７１から７４を環状としたことにより、分離かご３１を容器２１にセットした際に、図６及び図７（Ｂ）に示すように容器２１の周壁２１ａとかご周壁３２ａとの間の隙間Ｇを、容器２１の底壁２１ｂに向かう程次第に広げることができる。そのため、精米に伴って生成された糠をかご周壁３２ａに開けられた分離孔から隙間Ｇに容易に排出させることができるとともに、容器２１内での糠溜め容積を増やすことができる。又、各段部７１から７４の上面の幅は、これらの上面に米粒が乗ることができない程度に狭く、或いは、前記幅の広さに拘わらず出幅方向先端に行くほど下がるように傾斜させて、その上に米粒及び糠が滞留しないように形成するとよい。なお、以上説明した点以外の構成は、第１実施形態と同じである。
【００５０】
この第２実施形態の精米機１において、精米しようとする所望量の米を分離かご３１内に投入する場合、このかご３１内にかき回し具４１がセットされた状態で、分離かご３１に設けた各段部７１から７４、及びそれらに個別に対応する精米量表示７９から８２を、投入する米の量の目安とすることができる。
【００５１】
例えば、３合の白米を精米して得たい場合には、分離かご３１内に投入された米がなす米層の上面が上から２番目の高さの段部７３と略同じ高さとなるように、この段部７３を目安として玄米を投入すればよい。こうして精米して得ようとする３合の白米量に見合った量の玄米が投入された状態の平面図を図９に示す。なお、図９中平行斜線は入れられた米の層Ｘを示す。そして、この投入完了状態では、目安に用いた段部７３より下位置の段部７１、７２は米層Ｘ内に埋まるが、米層Ｘの上面と連続するように位置されている段部７３の上面に付された精米量表示８１及びそれより上側に位置する精米量表示８２は、上方から見て図９のように視認できる。
【００５２】
この例示から分かるように分離かご３１内に投入して精米される米の量を計量する目安として分離かご３１を用いることができる。この場合米は、予め、計量カップで計量する必要がなく、適当な容器を用いて、或いは米袋から直接分離かご３１に投入することができる。したがって、計量カップ（計量部品用）を不用とできるから、精米機１の低コストに役立つとともに、計量部品用の置き場所も要しない。
【００５３】
しかも、段部７１から７４及びそれらに個別に対応する精米量表示７５から８２を目安とすることによって、既述のように所望とする量の米を分離かご３１内に容易に投入できる。特に、段部７１から７４に個別に対応する精米量表示７９から８２は、分離かご３１に投入された米の層Ｘに拘わらず分離かご３１の上方から視認できるので、米の投入量の目安としての信頼性が高い。
【００５４】
又、段部７１から７４は、精米によって仕上げられた白米が作る米層Ｘの上面に対応する高さ位置に設けられているものではなく、精米によって取除かれる糠の分を含んで実際に投入される玄米が作る米層Ｘの上面に対応して設けられている。そのため、段部７１から７４のいずれかを選択して、それを目安にして分離かご３１内に投入された所望量の米から、所望とする量の白米を精米して高い確度で仕上げることができる。
【００５５】
なお、本発明は前記各実施形態には制約されない。例えば、本発明は、米以外の穀粒に対して精米と同様の処理を実施することが可能である。更に、本発明において、容器は精米機本体とは別体ではなく、精米機本体から取外せないように一体的に設けられていてもよい。又、本発明は、容器の底壁と分離かごの底壁との間に設けられ回転軸２７とともに回転されるファンの送風力により、分離された糠を搬送して、容器と連通してその外部に設けた糠溜めに溜める構成を備えた精米機にも適用できる。
【００５６】
【発明の効果】
請求項１〜３に係る発明及び請求項４に係る発明によれば、分離かご内に投入して精米される米の量を計量する目安として精米用かき回し具が用いられるので、計量カップを不用とでき、したがって、計量部品用の置き場所を要しないとともに、所望とする量の米を分離かご内に容易に投入できる低コストな精米用かき回し具及び精米機を提供できる。
【００５７】
請求項５，６に係る発明及び請求項７に係る発明によれば、精米される米の量を計量する目安として分離かごが用いられるので、計量カップを不用とでき、したがって、計量部品用の置き場所を要しないとともに、所望とする量の米を分離かご内に容易に投入できる低コストな精米用分離かご及び精米機を提供できる。
【図面の簡単な説明】
【図１】本発明の第１実施形態に係る精米機の断面図。
【図２】（Ａ）は図１の精米機が備える精米アタッチメントをその蓋を取除いて示す平面図。
（Ｂ）は図１の精米機が備える精米アタッチメントをその蓋を取除いて示す断面図。
【図３】（Ａ）は図２の精米アタッチメントが備えるかき回し具を示す平面図。
（Ｂ）は図２の精米アタッチメントが備えるかき回し具を示す側面図。
【図４】（Ａ）は図２の精米アタッチメントに玄米を１合の精米量表示に達するまで入れた状態を示す平面図。
（Ｂ）は図２の精米アタッチメントに玄米を３合の精米量表示に達するまで入れた状態を示す平面図。
【図５】図１の精米機が備える操作パネルを示す平面図。
【図６】本発明の第２実施形態に係る精米機の断面図。
【図７】（Ａ）は図６の精米機が備える精米アタッチメントをその蓋を取除いて示す平面図。
（Ｂ）は図６の精米機が備える精米アタッチメントをその蓋を取除いて示す断面図。
【図８】（Ａ）は図７の精米アタッチメントが備える分離かごを示す平面図。
（Ｂ）は図７の精米アタッチメントが備える分離かごを一部切欠いて示す側面図。
【図９】図７の精米アタッチメントに玄米を３合の精米量表示に達するまで入れた状態を示す平面図。
【符号の説明】
１…精米機本体
５…駆動機構
６…駆動モータ
８…駆動軸
２１…容器
２１ｂ…容器の底壁
２７…回転軸
３１…分離かご
３２…かご本体
４１…かき回し具
４２…かき回し具本体
４２ｂ…かき回し具本体の上面壁
４６〜４９…かき回し具本体の段部
５０〜５３…段部の精米量表示
５４〜５７…リブ
５８〜６１…かき回し具本体上面の精米量表示
Ｌ１〜Ｌ４…米層上面の高さ位置
６５…蓋
７１〜７４…分離かごの段部
７５〜７８…段部の精米量表示
７９〜８２…段部上面の精米量表示
【図１】
0003727580.tif 000002
【図２】
0003727580.tif 000003
【図３】
0003727580.tif 000004
【図４】
0003727580.tif 000005
【図５】
0003727580.tif 000006
【図６】
0003727580.tif 000007
【図７】
0003727580.tif 000008
【図８】
0003727580.tif 000009
【図９】
0003727580.tif 000010